(57)【要約】  水処理装置（１０００）は、原水流路（１０）、薬剤供給部（１００）、薬剤処理済水流路（２０）、濾過部（２００）、逆流洗浄水流路（３０）、排出用流路（４５）、第１の切替弁（Ｖ１）、第２の切替弁（Ｖ２）、および排水用開閉弁（Ｖ３）を備えている。逆流洗浄用の水は、薬剤供給部（１００）を通過することなく、原水流路（１０）、第１の切替弁（Ｖ１）、逆流洗浄水流路（３０）、第２の切替弁（Ｖ２）、濾過済水流路（４０）、濾過部（２００）、薬剤処理済水流路（２０）、排出用流路（４５）、排水用開閉弁（Ｖ３）、および排出口（５０）をこの順番で流れる。
2019156012.tif 000002
【特許請求の範囲】
【請求項１】
原水を導く原水流路と、
前記原水流路から前記原水を受け入れるように設けられ、前記原水に薬剤を供給する薬剤供給部と、
前記薬剤供給部から流れ出た前記薬剤が供給された薬剤処理済みの水を導く薬剤処理済水流路と、
前記薬剤処理済水流路を流れる前記薬剤処理済みの水を受け入れるように設けられ、前記薬剤処理済みの水に濾過処理を施す濾材を有する濾過部と、
前記濾過部から流れ出た前記濾過処理が施された濾過済みの水を導く濾過済水流路と、
前記原水流路と前記濾過済水流路とに接続され、前記原水流路から前記濾過済水流路へ逆流洗浄用の水を導く逆流洗浄水流路と、
前記原水流路と前記逆流洗浄水流路との接続部に設けられ、前記原水流路から前記薬剤供給部へ前記原水を導く第１の通常状態、および、前記原水流路から前記逆流洗浄水流路へ前記逆流洗浄用の水を導く第１の逆流洗浄状態のいずれかに切り替えられる第１の切替弁と、
前記濾過済水流路と前記逆流洗浄水流路との接続部に設けられ、前記濾過部から流出口へ前記濾過済みの水を導く第２の通常状態、および、前記逆流洗浄水流路から前記濾過済水流路を経由して前記濾過部へ前記逆流洗浄用の水を導く第２の逆流洗浄状態のいずれかに切り替えられる第２の切替弁と、
前記薬剤処理済水流路に接続された排出用流路に設けられ、前記薬剤処理済水流路を流れる前記薬剤処理済みの水を前記濾過部へ導く閉状態、および、前記薬剤処理済水流路を流れる前記逆流洗浄用の水を前記排出用流路の排出口へ導く開状態のいずれかに切り替えられる排水用開閉弁と、を備えた、水処理装置。
【請求項２】
原水を導く原水流路と、
前記原水流路から前記原水が流れ込むように設けられ、前記原水に薬剤を供給する薬剤供給部と、
前記薬剤供給部から流れ出た前記薬剤が供給された薬剤処理済みの水を導く薬剤処理済水流路と、
前記薬剤処理済水流路を流れる前記薬剤処理済みの水を受け入れるように設けられ、前記薬剤処理済みの水に濾過処理を施す濾材を有する濾過部と、
前記濾過部から流れ出た前記濾過処理が施された濾過済みの水を導く濾過済水流路と、
前記原水流路と前記濾過済水流路とに接続され、前記原水流路から前記濾過済水流路へ逆流洗浄用の水を導く逆流洗浄水流路と、
前記原水流路と前記逆流洗浄水流路との接続部に設けられ、前記原水流路から前記薬剤供給部へ前記原水を導く通常状態、および、前記原水流路から前記逆流洗浄水流路へ前記
逆流洗浄用の水を導く逆流洗浄状態のいずれかに切り替えられる切替弁と、
前記濾過済水流路と前記逆流洗浄水流路との接続部よりも前記濾過済みの水にとって下流側の前記濾過済水流路に設けられ、前記濾過部から前記濾過済水流路を経由して流出口へ前記濾過済みの水を導く通常用開状態、および、前記逆流洗浄水流路から前記濾過済水流路を経由して前記濾過部へ前記逆流洗浄用の水を導く逆流洗浄用閉状態のいずれかに切り替えられる逆流洗浄用開閉弁と、
前記薬剤処理済水流路に接続された排出用流路に設けられ、前記薬剤処理済水流路を流れる前記薬剤処理済みの水を前記濾過部へ導く通常用閉状態、および、前記薬剤処理済水流路を流れる前記逆流洗浄用の水を前記排出用流路の排出口へ導く逆流洗浄用開状態のいずれかに切り替えられる排水用開閉弁と、を備えた、水処理装置。
【請求項３】
前記薬剤供給部は、
前記薬剤が投入され得る薬剤槽と、
前記濾過済みの水を前記濾過済水流路から前記薬剤槽内の前記薬剤まで導く導入流路と、
前記薬剤を含む前記薬剤処理済みの水を前記薬剤槽から前記薬剤処理済水流路へ導く導出流路と、を有する、請求項１または２に記載の水処理装置。
【発明の詳細な説明】
【技術分野】
【０００１】
本開示は、薬剤供給部と濾過部とを備えた水処理装置に関する。
【背景技術】
【０００２】
従来から、その内部に薬剤を有する薬剤供給部とその内部に濾材を有する濾過部とを備えた水処理装置の開発が行われている。この水処理装置においては、濾過部の上流に薬剤供給部が配置されている場合がある。この場合には、まず、薬剤供給部から被処理水に供給された薬剤、たとえば、オゾンや塩素剤によって、被処理水の殺菌処理および酸化処理が施される。その後、薬剤を含む被処理水が濾過部に流れ込み、被処理水の濾過処理が実行される。【０００３】
上記した従来の水処理装置には、濾過部において濾材に付着した付着物を除去するために、濾過槽に順方向の流れとは逆向きに水を流すことにより、濾材を洗浄する、いわゆる逆流洗浄用の構造が設けられている（特許文献１参照）。
【先行技術文献】
【特許文献】
【０００４】
【特許文献１】実開昭６３−１３０１９８号公報
【発明の概要】
【発明が解決しようとする課題】
【０００５】
上記した特許文献１に開示された水処理装置に従来の逆流洗浄用の構造によれば、逆流洗浄を実行しようとすると、逆流洗浄用の水は、薬剤供給部を通過した後、逆流洗浄用流路を経由して濾過部の下流に流れる。その後、逆流洗浄用の水は、濾過部の下流側から濾過部の上流側へ向かって、通常使用時の水の流れの向きとは逆向きに流れる。【０００６】
したがって、上記の水処理装置において、逆流洗浄を実行すると、濾過部だけでなく、薬剤供給部にも、逆流洗浄用の水が流れ込んでしまう。その結果、逆流洗浄時には、濾材の付着物だけでなく薬剤も、逆流洗浄用の水とともに排出口から排出されてしまう。この逆流洗浄用の水は排出口から排出される。【０００７】
しかしながら、上記の従来の水処理装置においては、通常使用時において、濾過部は、上流にある薬剤供給部から供給された薬剤を含む薬剤処理済みの水が流れ込むことによって、薬剤を利用した洗浄が濾材に既に施されている。したがって、逆流洗浄時にも薬剤が混入された薬剤処理済みの水を濾過部に供給すると、薬剤が無駄に消費されてしまうことになる。【０００８】
本開示は、このような従来技術の有する課題に鑑みてなされたものである。そして、本開示の目的は、逆流洗浄によって薬剤が無駄に消費されることを抑制することができる水処理装置を提供することである。
【課題を解決するための手段】
【０００９】
上記課題を解決するために、本開示の第１の態様に係る水処理装置は、原水を導く原水流路と、前記原水流路から前記原水を受け入れるように設けられ、前記原水に薬剤を供給する薬剤供給部と、前記薬剤供給部から流れ出た前記薬剤が供給された薬剤処理済みの水を導く薬剤処理済水流路と、前記薬剤処理済水流路を流れる前記薬剤処理済みの水を受け入れるように設けられ、前記薬剤処理済みの水に濾過処理を施す濾材を有する濾過部と、前記濾過部から流れ出た前記濾過処理が施された濾過済みの水を導く濾過済水流路と、前記原水流路と前記濾過済水流路とに接続され、前記原水流路から前記濾過済水流路へ逆流洗浄用の水を導く逆流洗浄水流路と、前記原水流路と前記逆流洗浄水流路との接続部に設けられ、前記原水流路から前記薬剤供給部へ前記原水を導く第１の通常状態、および、前記原水流路から前記逆流洗浄水流路へ前記逆流洗浄用の水を導く第１の逆流洗浄状態のいずれかに切り替えられる第１の切替弁と、前記濾過済水流路と前記逆流洗浄水流路との接続部に設けられ、前記濾過部から流出口へ前記濾過済みの水を導く第２の通常状態、および、前記逆流洗浄水流路から前記濾過済水流路を経由して前記濾過部へ前記逆流洗浄用の水を導く第２の逆流洗浄状態のいずれかに切り替えられる第２の切替弁と、前記薬剤処理済水流路に接続された排出用流路に設けられ、前記薬剤処理済水流路を流れる前記薬剤処理済みの水を前記濾過部へ導く閉状態、および、前記薬剤処理済水流路を流れる前記逆流洗浄用の水を前記排出用流路の排出口へ導く開状態のいずれかに切り替えられる排水用開閉弁と、を備えている。【００１０】
本開示の第２の態様に係る水処理装置は、原水を導く原水流路と、前記原水流路から前記原水が流れ込むように設けられ、前記原水に薬剤を供給する薬剤供給部と、前記薬剤供給部から流れ出た前記薬剤が供給された薬剤処理済みの水を導く薬剤処理済水流路と、前記薬剤処理済水流路を流れる前記薬剤処理済みの水を受け入れるように設けられ、前記薬剤処理済みの水に濾過処理を施す濾材を有する濾過部と、前記濾過部から流れ出た前記濾過処理が施された濾過済みの水を導く濾過済水流路と、前記原水流路と前記濾過済水流路とに接続され、前記原水流路から前記濾過済水流路へ逆流洗浄用の水を導く逆流洗浄水流路と、前記原水流路と前記逆流洗浄水流路との接続部に設けられ、前記原水流路から前記薬剤供給部へ前記原水を導く通常状態、および、前記原水流路から前記逆流洗浄水流路へ前記逆流洗浄用の水を導く逆流洗浄状態のいずれかに切り替えられる切替弁と、前記濾過済水流路と前記逆流洗浄水流路との接続部よりも前記濾過済みの水にとって下流側の前記濾過済水流路に設けられ、前記濾過部から前記濾過済水流路を経由して流出口へ前記濾過済みの水を導く通常用開状態、および、前記逆流洗浄水流路から前記濾過済水流路を経由して前記濾過部へ前記逆流洗浄用の水を導く逆流洗浄用閉状態のいずれかに切り替えられる逆流洗浄用開閉弁と、前記薬剤処理済水流路に接続された排出用流路に設けられ、前記薬剤処理済水流路を流れる前記薬剤処理済みの水を前記濾過部へ導く通常用閉状態、および、前記薬剤処理済水流路を流れる前記逆流洗浄用の水を前記排出用流路の排出口へ導く逆流洗浄用開状態のいずれかに切り替えられる排水用開閉弁と、を備えている。
【発明の効果】
【００１１】
本開示の第１の態様または第２の態様の水処理装置によれば、逆流洗浄によって薬剤が無駄に消費されることを抑制することができる。
【図面の簡単な説明】
【００１２】
【図１】実施の形態１の水処理装置の通常使用状態を説明するための模式図である。
【図２】実施の形態１の水処理装置の逆流洗浄状態を説明するための模式図である。
【図３】実施の形態１の水処理装置の薬剤供給部の一例を説明するための断面図である。
【図４】実施の形態１の水処理装置の濾過部の一例を説明するための断面図である。
【図５】実施の形態１の第１の変形例の水処理装置を説明するための模式図である。
【図６】実施の形態１の第２の変形例の水処理装置を説明するための模式図である。
【図７】実施の形態２の水処理装置を説明するための模式図である。
【図８】実施の形態３の水処理装置を説明するための模式図である。
【発明を実施するための形態】
【００１３】
以下、図面を参照しながら、実施の形態の水処理装置を説明する。以下の複数の実施の形態においては、同一の参照符号が付された部分同士は、図面上における形状に多少の相違があっても、特段の記載がない限り、互いに同一の機能を発揮するものとする。
【００１４】
（実施の形態１）
図１および図２を用いて、実施の形態１の水処理装置１０００を説明する。
【００１５】
図１に示されるように、本実施の形態の水処理装置１０００は、原水流路１０、薬剤供給部１００、薬剤処理済水流路２０、濾過部２００、および濾過済水流路４０を備えている。水処理装置１０００は、逆流洗浄水流路３０、第１の切替弁Ｖ１、第２の切替弁Ｖ２、および排水用開閉弁Ｖ３を備えている。
【００１６】
原水流路１０には、図１に破線の矢印で示されるように井水を汲み上げるポンプＰが接続されている。ただし、井水の代わりに水道水や他の種類の水が用いられてもよい。ポンプＰが駆動すると、原水流路１０は、井水等からなる原水を薬剤供給部１００まで導く。図１に破線の矢印で示されるように、薬剤供給部１００は、原水流路１０から原水を受け入れるように設けられている。薬剤供給部１００は、その内部に原水に供給される薬剤を有している。薬剤供給部１００は、分岐部２１および合流部２２において原水流路１０に並列に接続されているバイパス流路に設けられている。
【００１７】
薬剤供給部１００は、薬剤供給部１００の容器部内に薬剤が投入され得る薬剤槽を有している。薬剤は、薬剤供給部１００内において下方から上昇する原水に混入される。これは、図３を用いて後に詳述される。薬剤が供給された薬剤処理済みの水が薬剤供給部１００から薬剤処理済水流路２０へ流れ出る。薬剤処理済水流路２０は、薬剤供給部１００から流れ出た薬剤が供給された薬剤処理済みの水を濾過部２００まで導く。
【００１８】
薬剤は、たとえば、原水に塩素イオンを放出する塩素系の薬剤である。そのため、薬剤は、殺菌作用を有している。薬剤は、一定の形状を保持している錠剤または一定の形状を有していない粉末剤等、いかなるものであってもよい。また、薬剤は、液体または粘性材料からなるものであってもよい。
【００１９】
図１に破線の矢印で示されるように、濾過部２００は、薬剤処理済水流路２０を流れる薬剤処理済みの水を受け入れるように設けられている。濾過部２００は、薬剤処理済みの水に濾過処理を施す濾材を有する。本実施の形態においては、濾材は、砂利または砂の粒である。図１に破線の矢印で示されるように、濾過済水流路４０は、濾過部２００から流れ出た濾過処理が施された濾過済みの水を流出口６０、たとえば、ユーザが使用する蛇口まで導く。逆流洗浄水流路３０は、原水流路１０と濾過済水流路４０とに接続されている。逆流洗浄水流路３０は、図２に破線の矢印で示されるように、原水流路１０から濾過済水流路４０へ逆流洗浄用の水を導く。
【００２０】
第１の切替弁Ｖ１は、原水流路１０と逆流洗浄水流路３０との接続部に設けられている。第１の切替弁Ｖ１は、いわゆる三方弁である。第１の切替弁Ｖ１は、第１の通常状態および第１の逆流洗浄状態のいずれかに切り替えられる。第１の通常状態の第１の切替弁Ｖ１は、図１に破線の矢印で示されるように、原水流路１０から薬剤供給部１００へ原水を導く。第１の逆流洗浄状態の第１の切替弁Ｖ１は、図２に破線の矢印で示されるように、原水流路１０から逆流洗浄水流路３０へ逆流洗浄用の水を導く。
【００２１】
第２の切替弁Ｖ２は、濾過済水流路４０と逆流洗浄水流路３０との接続部に設けられている。第２の切替弁Ｖ２は、いわゆる三方弁である。第２の切替弁Ｖ２は、第２の通常状態および第２の逆流洗浄状態のいずれかに切り替えられる。第２の通常状態の第２の切替弁Ｖ２は、図１に破線の矢印で示されるように、濾過部２００から流出口６０へ濾過済みの水を導く。第２の逆流洗浄状態の第２の切替弁Ｖ２は、図２に破線の矢印で示されるように、逆流洗浄水流路３０から濾過済水流路４０を経由して濾過部２００へ逆流洗浄用の水を導く。
【００２２】
排水用開閉弁Ｖ３は、薬剤処理済水流路２０に接続された排出用流路４５に設けられている。排水用開閉弁Ｖ３は、閉状態および開状態のいずれかに切り替えられる。閉状態の排水用開閉弁Ｖ３は、図１に破線の矢印で示されるように、薬剤処理済水流路２０を流れる薬剤処理済みの水を濾過部２００へ導く。開状態の排水用開閉弁Ｖ３は、図２に破線の矢印で示されるように、薬剤処理済水流路２０を流れる逆流洗浄用の水を排出用流路４５の排出口５０から排出するように導く。
【００２３】
本実施の形態の薬剤供給部１００によれば、逆流洗浄用の水は薬剤供給部１００を通過しない。そのため、逆流洗浄によって薬剤が無駄に消費されることが抑制される。
【００２４】
本実施の形態においては、水処理装置１０００の使用時には、第１の切替弁Ｖ１、第２の切替弁Ｖ２、および排水用開閉弁Ｖ３は、それぞれ、ユーザによって手動で操作される。ユーザは、通常使用時には、手動で、第１の切替弁Ｖ１を第１の通常状態に切り替え、第２の切替弁Ｖ２を第２の通常状態に切り替え、かつ、排水用開閉弁Ｖ３を閉状態に切り替える。それにより、通常使用時の水は、図１に破線の矢印で示されるように、原水流路１０、第１の切替弁Ｖ１、薬剤供給部１００、薬剤処理済水流路２０、濾過部２００、濾過済水流路４０、および第２の切替弁Ｖ２をこの順番で流れる。それにより、ユーザが使用する流出口６０としての蛇口から濾過済みの水が流れ出る。ただし、水処理装置１０００は、濾過済水流路４０の下流に濾過済みの水にさらなる何らかの処理を施すさらなる水処理部を有していてもよい。
【００２５】
一方、ユーザは、逆流洗浄時には、手動で、第１の切替弁Ｖ１を第１の逆流洗浄状態に切り替え、第２の切替弁Ｖ２を第２の逆流洗浄状態に切り替え、かつ、排水用開閉弁Ｖ３を開状態に切り替える。それにより、逆流洗浄用の水は、図２に破線の矢印で示されるように、原水流路１０、第１の切替弁Ｖ１、逆流洗浄水流路３０、第２の切替弁Ｖ２、濾過済水流路４０、濾過部２００、薬剤処理済水流路２０、および排水用開閉弁Ｖ３をこの順番で流れる。その後、逆流洗浄用の水は、排出用流路４５の排出口５０から流れ出る。つまり、逆流洗浄用の水は、薬剤供給部１００の薬剤が供給されない。つまり、逆流洗浄時には、薬剤は消費されない。
【００２６】
なお、第１の切替弁Ｖ１、第２の切替弁Ｖ２、および排水用開閉弁Ｖ３の切替動作または開閉動作は、ユーザが操作する操作部から指令信号を受けた制御部および機構によって自動的に実行されてもよい。
【００２７】
この場合、ユーザは、操作部を操作するだけで、たとえば、タッチパネルのアイコンをタッチするだけで、各弁を手動操作することなく、逆流洗浄を実行することができる。つまり、第１の切替弁Ｖ１、第２の切替弁Ｖ２、および排水用開閉弁Ｖ３が、制御部によって、通常状態および逆流洗浄の状態のいずれかにまとめて切り替えられる。したがって、ユーザの第１の切替弁Ｖ１、第２の切替弁Ｖ２、および排水用開閉弁Ｖ３の操作の負担が軽減される。
【００２８】
図１に示されるように、本実施の形態の水処理装置１０００は、分岐部２１から合流部２２までの原水流路１０を構成する主流路と、分岐部２１および合流部２２において主流路に並列に接続されたバイパス流路とを含んでいる。薬剤供給部１００は、バイパス流路に設けられている。バイパス流路においては、薬剤供給部１００の上流側の部分が原水流路１０の一部の部を構成し、薬剤供給部１００の下流側の部分が薬剤処理済水流路２０の一部を構成する。
【００２９】
排水用開閉弁Ｖ３は、主流路とバイパス流路とが合流した薬剤処理済水流路２０、すなわち、分岐部２１と濾過部２００との間に設けられている。これによれば、逆流洗浄用の水が原水流路１０に流れ込むことがないため、逆流洗浄用の水が薬剤供給部１００に確実に流れ込まないようにすることができる。
【００３０】
なお、原水流路１０の分岐部２１から合流部２２までの主流路は、薬剤供給部１００に流れ込む原水の量が調整されているのであれば、不要である場合もある。
【００３１】
次に、図３を用いて、実施の形態の薬剤供給部１００の内部構造を説明する。
【００３２】
図３から分かるように、実施の形態の薬剤供給部１００は、容器部１１２内に、薬剤槽１２１、導入流路１１１Ａ、導出流路１１１Ｃ、および薬剤収容部１４０を備えている。図３においては、薬剤供給部１００内の原水および薬剤処理済みの水は、一体的に水Ｗとして描かれている。
【００３３】
薬剤槽１２１は、コップのような形状をなし、その底面部に連通孔１２１Ａを有している。薬剤槽１２１の内側には、厚さｔを有する一群の砂利からなる分散材Ｆが設けられている。
【００３４】
通常使用時には、分散材Ｆは、分散した隙間を有している砂利である。分散材Ｆは、原水が薬剤ＣＡに接触すること、および、薬剤ＣＡが供給された薬剤処理済みの水が連通孔１２１Ａまで流れることを許容する程度の隙間を有している。
【００３５】
分散材Ｆと薬剤槽１２１の底面部との間には、網目部材１３０が設けられている。網目部材１３０は、分散材Ｆを構成する各粒の通過を抑制するが、原水を通過させる程度の大きさを有している。
【００３６】
薬剤収容部１４０は、円筒状の形状をなし、その内部に薬剤ＣＡを有している。薬剤ＣＡは、固体、液体、および粘性材料のいずれであってもよい。薬剤収容部１４０の底部は、透過性膜１４２によって構成されている。ただし、薬剤ＣＡが固形または粉末状の薬剤の場合には、分散材Ｆの上に直接、薬剤ＣＡが置かれてもよい。
【００３７】
透過性膜１４２は、分散材Ｆによって分散された原水を透過させる。透過性膜１４２の孔径は、原水が透過性膜１４２を透過して薬剤ＣＡに接触する前においては透過性膜１４２によって支持された薬剤ＣＡを透過させない程度の大きさである。また、透過性膜１４２の孔径は、原水が透過性膜１４２を透過して薬剤ＣＡに接触した後においては、薬剤処理済みの水に含まれる薬剤ＣＡを構成する物質を透過させる程度の大きさである。
【００３８】
導入流路１１１Ａは、原水流路１０に接続されており、原水を受け入れる。導入流路１１１Ａは、薬剤槽１２１の底面部の下方からその底面部に接続されている。
【００３９】
薬剤槽１２１内においては、原水は、分散材Ｆを通過した後、透過性膜１４２を透過し、薬剤収容部１４０内の薬剤ＣＡに接触することにより、薬剤処理済みの水になる。その後、薬剤ＣＡを含んだ薬剤処理済みの水は、透過性膜１４２を通過して分散材Ｆの分散した隙間に存在する原水に混入される。
【００４０】
薬剤槽１２１内の薬剤処理済みの水は、連通孔１２１Ａを通過し、連通孔１２１Ａの下側の導出流路１１１Ｃへ落下する。導出流路１１１Ｃは、薬剤槽１２１の内側から連通孔１２１Ａを経由して流れ落ちた薬剤処理済みの水を薬剤処理済水流路２０へ導く。
【００４１】
ポンプＰが停止しているとき、または、逆流洗浄のときには、原水または逆流洗浄用の水が薬剤供給部１００を通過しない。そのため、薬剤槽１２１内の水Ｗの液面は、薬剤ＣＡに接しない程度まで低下している。その結果、ポンプＰが停止しているとき、または、逆流洗浄のときには、薬剤ＣＡは消費されない。
【００４２】
次に、図４を用いて、実施の形態の濾過部２００の内部構造を説明する。
【００４３】
図４に示されるように、濾過部２００は、その内部において砂または砂利からなる濾材ＦＬがタンクの底からある程度の高さの位置まで敷き詰められている。水処理装置１０００の通常使用状態のときには、図４に矢印で示されるように、薬剤処理済みの水は、薬剤処理済水流路２０から濾過部２００へ流れ込み、濾過部２００内において、濾材ＦＬを通過するように、上方から下方へ落下する。
【００４４】
このとき、濾過部２００内の薬剤処理済みの水に含まれているスカムＳは、濾材ＦＬに付着し、それにより、濾過部２００内の薬剤処理済みの水から除去される。その後、スカムＳが除去された濾過済みの水が濾過済水流路４０に流れ込む。
【００４５】
逆流洗浄のときには、濾過済水流路４０から濾過部２００へ流れ込んできた逆流洗浄用の水は、濾過部２００内において、図４の矢印で示される方向とは逆向きに流れる。そのため、濾材ＦＬに付着していたスカムＳを含む汚れた逆流洗浄用の水が薬剤処理済水流路２０へ向かって流れ、排出用流路４５の排出口５０（図２参照）から排出される。
【００４６】
なお、本実施の形態においては、濾過部２００は、図４に示されるような構造を有しているが、逆流洗浄できるものであれば、いかなるものであってもよい。
【００４７】
図５を用いて、実施の形態１の第１の変形例の水処理装置１０００を説明する。
【００４８】
図５に示されるように、この第１の変形例の水処理装置１０００においては、原水流路１０の分岐部２１と合流部２２との間の主流路に原水の圧力を調整する圧力調整弁ＰＶが設けられている。また、分岐部２１と合流部２２との間のバイパス流路の薬剤供給部１００の上流側の原水流路１０に流量調整弁ＦＶが設けられている。このような第１の変形例の水処理装置１０００であっても、上記した本実施の形態の水処理装置１０００によって得られる効果と同様の効果を得ることができる。
【００４９】
図６を用いて、実施の形態１の第２の変形例の水処理装置１０００を説明する。
【００５０】
実施の形態１の第２の変形例の水処理装置１０００は、第１の変形例の水処理装置１０００とほぼ同様の構造を有している。図６に示されるように、第２の変形例の水処理装置１０００は、分岐部２１と合流部２２との間において主流路に対してバイパス流路が２つ並列に設けられている。２つのバイパス流路に、それぞれ、２つの薬剤供給部１００が設けられている。２つの薬剤供給部１００の内部に存在する２つの薬剤は、同種のものであってもよいが、互いに異なる種類のものであってもよい。２つのバイパス流路の薬剤供給部１００の上流側は、原水流路１０である。２つのバイパス流路の薬剤供給部１００の下流側は、薬剤処理済水流路２０である。
【００５１】
また、２つのバイパス流路のそれぞれの薬剤供給部１００の上流側の原水流路１０には、流量調整弁ＦＶが設けられている。原水流路１０の分岐部２１と合流部２２との間の主流路には、圧力調整弁ＰＶが設けられている。このような第２の変形例の水処理装置１０００であっても、上記した本実施の形態の水処理装置１０００によって得られる効果と同様の効果を得ることができる。なお、薬剤供給部１００が設けられたバイパス流路が３つ以上設けられていてもよい。
【００５２】
薬剤供給部１００によって薬剤が供給された逆流洗浄用の水を用いて、濾過部２００を洗浄することができるのであれば、本実施の形態の各流路の少なくともいずれか１つにさらなる弁等が設けられていてもよい。
【００５３】
（実施の形態２）
本実施の形態の水処理装置１０００は、実施の形態１の水処理装置１０００とほぼ同様である。以下、本実施の形態の水処理装置１０００と実施の形態１の水処理装置１０００とが異なっている点を主に説明する。
【００５４】
図７を用いて、実施の形態２の水処理装置１０００を説明する。
【００５５】
図７に示されるように、実施の形態２の水処理装置１０００においては、排水用開閉弁Ｖ３は、薬剤供給部１００の下流側のバイパス流路としての薬剤処理済水流路２０に接続された排出用流路４５に設けられている。つまり、排水用開閉弁Ｖ３は、薬剤供給部１００と合流部２２との間の薬剤処理済水流路２０に接続された排出用流路４５に設けられている。本実施の形態の水処理装置１０００によっても、逆流洗浄用の水が薬剤供給部１００に流れ込まないようにすることができる。
【００５６】
この場合、原水流路１０の分岐部２１と合流部２２との間の主流路に一方向弁が設けられていることが好ましい場合がある。この場合の一方向弁は、通常使用状態において、原水が、分岐部２１から合流部２２へ原水流路１０としての主流路を流れることを許容する。一方、この場合の一方向弁は、逆流洗浄状態において、逆流洗浄用の水が、濾過部２００から合流部２２および分岐部２１を経由して、薬剤供給部１００へ流れ込むことを防止する。
【００５７】
ただし、薬剤供給部１００および排水用開閉弁Ｖ３の高さ位置の関係によっては、分岐部２１から薬剤供給部１００までの原水流路１０に残存する原水の水圧が逆流洗浄用の水の流れの抵抗となる。この場合、原水流路１０内に残存する原水の水圧による抵抗が、合流部２２から分岐部２１を経由して薬剤供給部１００へ逆流洗浄用の水が流れ込むことを抑制する。したがって、分岐部２１と合流部２２との間の主流路に設けられた前述の一方向弁は、必須の構成ではない。
【００５８】
上記のことを考慮すると、排水用開閉弁Ｖ３を有する排出用流路４５が、図６に示される実施の形態１の第２の変形例の水処理装置１０００において、２つの薬剤供給部１００の下流側の２つのバイパス流路の合流部分に接続されていてもよい。また、排水用開閉弁Ｖ３を有する排出用流路４５が、図６に示される実施の形態１の第２の変形例の水処理装置１０００において、２つの薬剤供給部１００の下流側の２つのバイパス流路のそれぞれに設けられていてもよい。
【００５９】
（実施の形態３）
本実施の形態の水処理装置１０００は、実施の形態１または２の水処理装置１０００とほぼ同様である。以下、本実施の形態の水処理装置１０００と実施の形態１または２の水処理装置１０００とが異なっている点を主に説明する。
【００６０】
図８を用いて、実施の形態３の水処理装置１０００を説明する。
【００６１】
本実施の形態の水処理装置１０００は、実施の形態１の水処理装置１０００の第２の切替弁Ｖ２の代わりに、逆流洗浄用開閉弁Ｖ４を備えている。逆流洗浄用開閉弁Ｖ４は、濾過済水流路４０と逆流洗浄水流路３０との接続部よりも濾過済みの水にとって下流側の濾過済水流路４０に設けられている。逆流洗浄用開閉弁Ｖ４は、通常用開状態および逆流洗浄用閉状態のいずれかに切り替えられる。通常用開状態の逆流洗浄用開閉弁Ｖ４は、濾過部２００から濾過済水流路４０を経由して流出口６０へ濾過済みの水を導く。逆流洗浄用閉状態の逆流洗浄用開閉弁Ｖ４は、逆流洗浄水流路３０から濾過済水流路４０を経由して濾過部２００へ逆流洗浄用の水を導く。この構成によっても、逆流洗浄水は薬剤供給部１００を通過しない。そのため、逆流洗浄によって薬剤が無駄に消費されることが抑制される。
【００６２】
本実施の形態においては、水処理装置１０００の使用時には、切替弁Ｖ１（実施の形態１の第１の切替弁Ｖ１と同一）、逆流洗浄用開閉弁Ｖ４、および排水用開閉弁Ｖ３は、ユーザによって手動で操作される。ユーザは、通常使用時には、手動で、切替弁Ｖ１を通常状態に切り替え、逆流洗浄用開閉弁Ｖ４を通常用開状態に切り替え、かつ、排水用開閉弁Ｖ３を通常用閉状態に切り替える。一方、ユーザは、逆流洗浄時には、手動で、切替弁Ｖ１を逆流洗浄状態に切り替え、逆流洗浄用開閉弁Ｖ４を逆流洗浄用閉状態に切り替え、かつ、排水用開閉弁Ｖ３を逆流洗浄用開状態に切り替える。
【００６３】
なお、切替弁Ｖ１、逆流洗浄用開閉弁Ｖ４、および排水用開閉弁Ｖ３の切替動作または開閉動作の操作は、ユーザが操作する操作部から指令信号を受けた制御部および機構によって自動的に実行されてもよい。この場合、ユーザは、操作部を操作するだけで、各弁を手動操作することなく、逆流洗浄を実行することができる。つまり、切替弁Ｖ１、逆流洗浄用開閉弁Ｖ４、および排水用開閉弁Ｖ３が、制御部によって、通常状態および逆流洗浄状態のいずれかにまとめて切り替えられる。したがって、ユーザの切替弁Ｖ１、逆流洗浄用開閉弁Ｖ４、および排水用開閉弁Ｖ３の操作の負担が軽減される。
【００６４】
本実施の形態の逆流洗浄用開閉弁Ｖ４は、逆流洗浄用開閉弁Ｖ４は、実施の形態１の第１の変形例（図５参照）および第２の変形例（図６参照）の水処理装置１０００の第２の切替弁Ｖ２の代わりに用いられてもよい。また、本実施の形態の逆流洗浄用開閉弁Ｖ４は、実施の形態２の水処理装置１０００（図７参照）の第２の切替弁Ｖ２の代わりに用いられてもよい。
【００６５】
（その他の実施の形態）
水処理装置１０００は、上記した各実施の形態の各構成を加えて、原水流路１０、薬剤処理済水流路２０、および濾過済水流路４０のうちの少なくともいずれか１つに他の水処理部および弁の少なくともいずれか一方をさらに備えていてもよい。水処理装置１０００は、通常使用時に薬剤供給部１００から薬剤を供給された薬剤処理済みの水が濾過部２００を通過し、逆流洗浄時に逆流洗浄用の水が薬剤供給部１００を通過せずに濾過部２００を通過するものであれば、いかなるものであってもよい。
【００６６】
以下、実施の形態の水処理装置１０００の特徴的構成およびそれにより得られる効果を説明する。
【００６７】
（１）  実施の形態の水処理装置１０００は、原水流路１０、薬剤供給部１００、薬剤処理済水流路２０、濾過部２００、濾過済水流路４０、逆流洗浄水流路３０、第１の切替弁Ｖ１、第２の切替弁Ｖ２、および排水用開閉弁Ｖ３を備えている。
【００６８】
原水流路１０は、原水を導く。薬剤供給部１００は、原水流路１０から原水を受け入れるように設けられ、原水に薬剤を供給する。薬剤処理済水流路２０は、薬剤供給部１００から流れ出た薬剤ＣＡが供給された薬剤処理済みの水を導く。濾過部２００は、薬剤処理済水流路２０を流れる薬剤処理済みの水を受け入れるように設けられ、薬剤処理済みの水に濾過処理を施す濾材ＦＬを有する。濾過済水流路４０は、濾過部２００から流れ出た濾過処理が施された濾過済みの水を導く。逆流洗浄水流路３０は、原水流路１０と濾過済水流路４０とに接続され、原水流路１０から濾過済水流路４０へ逆流洗浄用の水を導く。
【００６９】
第１の切替弁Ｖ１は、原水流路１０と逆流洗浄水流路３０との接続部に設けられている。第１の切替弁Ｖ１は、第１の通常状態および第１の逆流洗浄状態のいずれかに切り替えられる。第１の通常状態の第１の切替弁Ｖ１は、原水流路１０から薬剤供給部１００へ原水を導く。第１の逆流洗浄状態の第１の切替弁Ｖ１は、原水流路１０から逆流洗浄水流路３０へ逆流洗浄用の水を導く。
【００７０】
第２の切替弁Ｖ２は、濾過済水流路４０と逆流洗浄水流路３０との接続部に設けられている。第２の切替弁Ｖ２は、第２の通常状態および第２の逆流洗浄状態のいずれかに切り替えられる。第２の通常状態の第２の切替弁Ｖ２は、濾過部２００から流出口６０へ濾過済みの水を導く。第２の逆流洗浄状態の第２の切替弁Ｖ２は、逆流洗浄水流路３０から濾過済水流路４０を経由して濾過部２００へ逆流洗浄用の水を導く。
【００７１】
排水用開閉弁Ｖ３は、薬剤処理済水流路２０に接続された排出用流路４５に設けられている。排水用開閉弁Ｖ３は、閉状態および開状態のいずれかに切り替えられる。閉状態の排水用開閉弁Ｖ３は、薬剤処理済水流路２０を流れる薬剤処理済みの水を濾過部２００へ導く。開状態の排水用開閉弁Ｖ３は、薬剤処理済水流路２０を流れる逆流洗浄用の水を排出用流路４５の排出口５０へ導く。
【００７２】
上記の構成によれば、逆流洗浄用の水は薬剤供給部１００を通過しない。そのため、逆流洗浄によって薬剤が無駄に消費されることが抑制される。
【００７３】
（２）  別の実施の形態の水処理装置１０００は、実施の形態１の第２の切替弁Ｖ２の代わりに、逆流洗浄用開閉弁Ｖ４を備える。逆流洗浄用開閉弁Ｖ４は、濾過済水流路４０と逆流洗浄水流路３０との接続部よりも濾過済みの水にとって下流側の濾過済水流路４０に設けられている。逆流洗浄用開閉弁Ｖ４は、通常用開状態および逆流洗浄用閉状態のいずれかに切り替えられる。通常用開状態の逆流洗浄用開閉弁Ｖ４は、濾過部２００から濾過済水流路４０を経由して流出口６０へ濾過済みの水を導く。逆流洗浄用閉状態の逆流洗浄用開閉弁Ｖ４は、逆流洗浄水流路３０から濾過済水流路４０を経由して濾過部２００へ逆流洗浄用の水を導く。この構成によっても、逆流洗浄水は薬剤供給部１００を通過しない。そのため、逆流洗浄によって薬剤が無駄に消費されることが抑制される。
【００７４】
（３）  薬剤供給部１００は、薬剤が投入され得る薬剤槽１２１を有している。薬剤供給部１００は、濾過済みの水を濾過済水流路４０から薬剤槽１２１内の薬剤ＣＡまで導く導入流路１１１Ａと、薬剤ＣＡを含む薬剤処理済みの水を薬剤槽１２１から薬剤処理済水流路２０へ導く導出流路１１１Ｃとを有している。これによれば、逆流洗浄のときに、薬剤供給部１００内に逆流洗浄用の水が流れ込むことにより、薬剤ＣＡが無駄に消費されてしまうことを抑制することができる。
【００７５】
本出願は、２０１８年２月９日に出願された日本出願の特願２０１８−０２１９０３号に基づく優先権を主張し、当該日本出願に記載された全ての記載内容を参照によって援用するものである。
【符号の説明】
【００７６】
１０  原水流路
２０  薬剤処理済水流路
３０  逆流洗浄水流路
４０  濾過済水流路
４５  排出用流路
５０  排出口
６０  流出口
１００  薬剤供給部
１１１Ａ  導入流路
１１１Ｃ  導出流路
１２１  薬剤槽
２００  濾過部
１０００  水処理装置
ＣＡ  薬剤
ＦＬ  濾材
Ｖ１  第１の切替弁（切替弁)
Ｖ２  第２の切替弁
Ｖ３  排水用開閉弁
Ｖ４  逆流洗浄用開閉弁
【図１】
2019156012.tif 000003
【図２】
2019156012.tif 000004
【図３】
2019156012.tif 000005
【図４】
2019156012.tif 000006
【図５】
2019156012.tif 000007
【図６】
2019156012.tif 000008
【図７】
2019156012.tif 000009
【図８】
2019156012.tif 000010
【手続補正書】
【提出日】令和2年7月21日(2020.7.21)
【手続補正１】
【補正対象書類名】明細書
【補正対象項目名】００２９
【補正方法】変更
【補正の内容】
【００２９】
排水用開閉弁Ｖ３は、主流路とバイパス流路とが合流した薬剤処理済水流路２０、すなわち、合流部２２と濾過部２００との間に設けられている。これによれば、逆流洗浄用の水が原水流路１０に流れ込むことがないため、逆流洗浄用の水が薬剤供給部１００に確実に流れ込まないようにすることができる。
【手続補正２】
【補正対象書類名】明細書
【補正対象項目名】００５２
【補正方法】変更
【補正の内容】
【００５２】
薬剤が供給されていない逆流洗浄用の水を用いて、濾過部２００を洗浄することができるのであれば、本実施の形態の各流路の少なくともいずれか１つにさらなる弁等が設けられていてもよい。
【手続補正３】
【補正対象書類名】明細書
【補正対象項目名】００６４
【補正方法】変更
【補正の内容】
【００６４】
本実施の形態の逆流洗浄用開閉弁Ｖ４は、実施の形態１の第１の変形例（図５参照）および第２の変形例（図６参照）の水処理装置１０００の第２の切替弁Ｖ２の代わりに用いられてもよい。また、本実施の形態の逆流洗浄用開閉弁Ｖ４は、実施の形態２の水処理装置１０００（図７参照）の第２の切替弁Ｖ２の代わりに用いられてもよい。
【手続補正４】
【補正対象書類名】明細書
【補正対象項目名】００７４
【補正方法】変更
【補正の内容】
【００７４】
（３）  薬剤供給部１００は、薬剤が投入され得る薬剤槽１２１を有している。薬剤供給部１００は、原水を原水流路１０から薬剤槽１２１内の薬剤ＣＡまで導く導入流路１１１Ａと、薬剤ＣＡを含む薬剤処理済みの水を薬剤槽１２１から薬剤処理済水流路２０へ導く導出流路１１１Ｃとを有している。これによれば、逆流洗浄のときに、薬剤供給部１００内に逆流洗浄用の水が流れ込むことにより、薬剤ＣＡが無駄に消費されてしまうことを抑制することができる。
【国際調査報告】
2019156012.tif 000011
2019156012.tif 000012
2019156012.tif 000013
2019156012.tif 000014
2019156012.tif 000015
2019156012.tif 000016